(57)【要約】【課題】立ち上がり部に断熱材を接着する工程を省略して、製造コストの削減を図る。【解決手段】型枠保持具２が、ベース部２１と、前記ベース部２１に設けられ、外枠板５０を立てた状態にして前記外枠板５０の下端部を支持する第一支持部２５と、前記第一支持部２５から離れて前記ベース部２１上に立設された脚部２６と、前記脚部２６の上端に設けられ、内枠板５１を立てた状態にして前記内枠板５１の下端部を支持する第二支持部２８と、前記脚部２６の上端に設けられ、前記第二支持部２８から前記第一支持部２５側へ延出し、断熱材７の下端を受けて前記断熱材７の下から前記断熱材７を支える受け部３３と、を備える。【選択図】図１
2013221374.tif 000002
【特許請求の範囲】
【請求項１】
ベース部と、
前記ベース部に設けられ、外枠板を立てた状態にして前記外枠板の下端部を支持する第一支持部と、
前記第一支持部から離れて前記ベース部に立設された脚部と、
前記脚部の上端に設けられ、内枠板を立てた状態にして前記内枠板の下端部を支持する第二支持部と、
前記脚部の上端に設けられ、前記第二支持部から前記第一支持部側へ延出し、断熱材の下端を受けて前記断熱材の下から前記断熱材を支える受け部と、を備える、
ことを特徴とする型枠保持具。
【請求項２】
前記脚部よりも前記第一支持部側において前記ベース部に対して垂直な状態で前記ベース部に立設された第二脚部を更に備え、
前記脚部が前記第一支持部側へ斜めになるように立てられ、前記脚部の上端と前記第二脚部の上端が連結されている、
ことを特徴とする請求項１に記載の型枠保持具。
【請求項３】
前記脚部及び前記第二脚部に連結されているとともに、前記第二脚部よりも前記第一支持部寄りにおいて前記ベース部に連結された補強部材を更に備える、
ことを特徴とする請求項２に記載の型枠保持具。
【請求項４】
前記受け部と前記ベース部が互いに平行である、
ことを特徴とする請求項１から３の何れか一項に記載の型枠保持具。
【請求項５】
前記第一支持部が、
前記ベース部の長さ方向の一端に立設された第一把持片と、
前記第一把持片から前記ベース部の長さ方向の他端側に離れた状態で前記ベース部に立設された第二把持片と、を有し、
前記第一把持片及び前記第二把持片がこれらの間に前記外枠板の下端部を挟持する、
ことを特徴とする請求項１から４の何れか一項に記載の型枠保持具。
【請求項６】
前記第二支持部が、
伏せた状態で前記脚部の上端に設けられた載置部と、
前記載置部に立設された第三把持片と、
前記第三把持片から前記ベース部の前記他端側に離れた状態で前記載置部に立設された第四把持片と、を有し、
前記第三把持片及び前記第四把持片がこれらの間に前記内枠板の下端部を挟持する、
ことを特徴とする請求項１から５の何れか一項に記載の型枠保持具。
【請求項７】
前記受け部が前記載置部に連結されているとともに、前記載置部から前記ベース部の長さ方向の一端側へ延出している、
ことを特徴とする請求項６に記載の型枠保持具。
【請求項８】
請求項１から７の何れか一項に記載の型枠保持具と、
建物の床下の地盤上に打設されたコンクリートスラブと、
前記コンクリートスラブ上の周縁部に一体打ちされた立ち上がり部と、
前記コンクリートスラブの周縁部下であって地盤上に打設された捨てコンクリートと、
断熱材と、を備え、
前記ベース部が前記捨てコンクリート上に固定され、
前記ベース部及び前記脚部が前記コンクリートスラブに埋設され、
前記第一支持部が前記コンクリートスラブの周縁から外に突出し、
前記受け部が前記立ち上がり部の内側であって前記コンクリートスラブ上に設けられ、
前記断熱材が前記立ち上がり部の内側において前記受け部及び前記コンクリートスラブ上に設けられているとともに、前記立ち上がり部に貼着され、
前記第二支持部が前記断熱材の内側において前記コンクリートスラブ上に設けられている、
ことを特徴とする建物の断熱基礎。
【請求項９】
地盤上に捨てコンクリートを打設する工程と、
請求項１から７の何れか一項に記載の型枠保持具の前記ベース部を前記捨てコンクリート上に固定して、前記型枠保持具を前記捨てコンクリート上に設置する工程と、
外枠板を立てた状態にして前記第一支持部に支持する工程と、
内枠板を立てた状態にして前記第二支持部に支持する工程と、
断熱材を前記外枠板と前記内枠板の間に挿入して、前記断熱材を前記受け部上に載置し、前記断熱材を前記内枠板に当てるとともに前記断熱材を前記外枠板から離す工程と、
前記内枠板と前記外枠板との間の前記捨てコンクリート上と、前記外枠板と前記断熱材の間と、前記内枠板の内側の地盤上とにコンクリートを打ち込んで前記型枠保持具の前記ベース部及び前記脚部を前記コンクリートに埋め込むことによってコンクリートスラブと立ち上がり部を一体打ちする工程と、
前記コンクリートスラブ及び前記立ち上がり部のコンクリートの硬化後に前記外枠板を前記第一支持部から外すと共に、前記内枠板を前記第二支持部から外す工程と、を含むことを特徴とする建物の断熱基礎の構築方法。
【請求項１０】
上部保持具を前記外枠板、前記断熱材及び前記内枠板の上端部に装着して、前記断熱材の上端部と前記内枠板の上端部を一緒に前記上部保持具で挟み込むとともに、前記外枠板の上端部を前記上部保持具で挟み込み、前記外枠板と前記断熱材の間隔を前記上部保持具で保持するとともに、前記断熱材を前記内枠板に当てた状態を前記上部保持具で保持した状態でコンクリートの打ち込みを行うことを特徴とする請求項９に記載の建物の断熱基礎の構築方法。
【発明の詳細な説明】
【技術分野】
【０００１】
本発明は、型枠保持具、建物の断熱基礎及び建物の断熱基礎の構築方法に関する。
【背景技術】
【０００２】
住宅の基礎を構築する工法として、べた基礎一体打ち工法がある（例えば、特許文献１参照）。べた基礎一体打ち工法では、保持具を地盤上に設置し、外枠板をその保持具に設置することによって外枠板を地盤上に配置し、外枠板の内側において内枠板を地盤から上方に持ち上げて保持具に設置し、外枠板と内枠板の間隔を保持具で保った状態にする（特許文献１の図１参照）。そして、外枠板と内枠板との間にコンクリートを打ち込むとともに、内枠板の内側の地盤上にコンクリートを内枠板の下端まで打ち込む。これにより、べた基礎のスラブを打設するとともに、そのスラブの上面の周縁部に立ち上がり部を一体的に打設する。そのため、保持具は基礎のコンクリートに埋設される。
【０００３】
建物の断熱性の向上を図るべく、べた基礎の立ち上がり部の内側の側面に断熱材を接着剤によって接着することが行われている（例えば、特許文献２参照）。
【先行技術文献】
【特許文献】
【０００４】
【特許文献１】特開２００６−１０４８１９号公報
【特許文献２】特開２００５−１６３４８９号公報
【発明の概要】
【発明が解決しようとする課題】
【０００５】
ところが、特許文献２に記載の技術では、基礎の打設後に断熱材を接着するから、製造工程が増えてしまう。また、接着剤を用いるので、製造コストの増大に繋がる。
そこで、本発明の目的は、立ち上がり部に断熱材を接着する工程を省略して、製造コストの削減を図ることである。
【課題を解決するための手段】
【０００６】
上記課題を解決するための請求項１に係る発明は、例えば図２に示すように、ベース部２１と、前記ベース部２１に設けられ、外枠板５０を立てた状態にして前記外枠板５０の下端部を支持する第一支持部２５と、前記第一支持部２５から離れて前記ベース部２１に立設された脚部２６と、前記脚部２６の上端に設けられ、内枠板５１を立てた状態にして前記内枠板５１の下端部を支持する第二支持部２８と、前記脚部２６の上端に設けられ、前記第二支持部２８から前記第一支持部２５側へ延出し、断熱材７の下端を受けて前記断熱材７の下から前記断熱材７を支える受け部３３と、を備える、ことを特徴とする型枠保持具２である。
【０００７】
請求項１に係る発明によれば、受け部３３が第二支持部２８から第一支持部２５側へ延出しているから、第一支持部２５によって支持された外枠板５０と第二支持部２８によって支持された内枠板５１との間に断熱材７を挿入して、断熱材７を受け部３３上に載置して、断熱材７を内枠板５１に当てるとともに断熱材７を外枠板５０から離すことができる。そのため、断熱材７と外枠板５０との間にコンクリートを打ち込んで、コンクリートを硬化させると、断熱材７が立ち上がり部４に貼着される。そのため、断熱材７を立ち上がり部４に接着する工程を省略することができ、断熱基礎１の製造コストを削減することができる。
【０００８】
請求項２に係る発明は、例えば図２に示すように、前記脚部２６よりも前記第一支持部２５側において前記ベース部２１に対して垂直な状態で前記ベース部２１に立設された第二脚部２７を更に備え、前記脚部２６が前記第一支持部２５側へ斜めになるように立てられ、前記脚部２６の上端と前記第二脚部２７の上端が連結されている、ことを特徴とする請求項１に記載の型枠保持具２である。
【０００９】
請求項２に係る発明によれば、斜めに立てられた脚部２６の上端部と垂直に立てられた第二脚部２７の上端部が連結され、型枠保持具２の剛性が高まり、外枠板５０と内枠板５１の間に打ち込んだコンクリートの圧力によって内枠板５１等がはらむことを防止することができる。また、第二脚部２７が垂直であるから、第二脚部２７と外枠板５０の間のスペースを広くとることができ、鉄筋等が第二脚部２７に干渉することを防止することができる。
【００１０】
請求項３に係る発明は、例えば図２に示すように、前記脚部２６及び前記第二脚部２７に連結されているとともに、前記第二脚部２７よりも前記第一支持部２５寄りにおいて前記ベース部２１に連結された補強部材３４を更に備える、ことを特徴とする請求項２に記載の型枠保持具２である。
【００１１】
請求項３に係る発明によれば、補強部材３４が脚部２６、第二脚部２７及びベース部２１に連結されているから、型枠保持具２の剛性を高めることができる。そのため、外枠板５０と内枠板５１の間に打ち込んだコンクリートの圧力によって内枠板５１等がはらむことを防止することができる。
【００１２】
請求項４に係る発明は、例えば図２に示すように、前記受け部３３と前記ベース部２１が互いに平行である、ことを特徴とする請求項１から３の何れか一項に記載の型枠保持具２である。
【００１３】
請求項４に係る発明によれば、受け部３３とベース部２１が互いに平行であるから、ベース部２１を水平面上に設置すれば、受け部３３も水平となり、断熱材７が直方体状であれば、受け部３３に載置した断熱材７を垂直に立てることができる。
【００１４】
請求項５に係る発明は、例えば図２に示すように、前記第一支持部２５が、前記ベース部２１の長さ方向の一端に立設された第一把持片２２と、前記第一把持片２２から前記ベース部２１の長さ方向の他端側に離れた状態で前記ベース部２１に立設された第二把持片２３と、を有し、前記第一把持片２２及び前記第二把持片２３がこれらの間に前記外枠板５０の下端部を挟持する、ことを特徴とする請求項１から４の何れか一項に記載の型枠保持具２である。
【００１５】
請求項５に係る発明によれば、外枠板５０の下端部を第一把持片２２と第二把持片２３の間に挿入すると、外枠板５０を立てた状態にしてその外枠部をベース部２１の長さ方向の一端に支持することができる。
【００１６】
請求項６に係る発明は、例えば図２に示すように、前記第二支持部２８が、伏せた状態で前記脚部２６の上端に設けられた載置部２９と、前記載置部２９に立設された第三把持片３０と、前記第三把持片３０から前記ベース部２１の前記他端側に離れた状態で前記載置部２９に立設された第四把持片３１と、を有し、前記第三把持片３０及び前記第四把持片３１がこれらの間に前記内枠板５１の下端部を挟持する、ことを特徴とする請求項１から５の何れか一項に記載の型枠保持具２である。
【００１７】
請求項６に係る発明によれば、内枠板５１の下端部を第三把持片３０と第四把持片３１の間に挿入すると、内枠板５１を立てた状態にしてその内枠板５１を載置部２９に支持することができる。
【００１８】
請求項７に係る発明は、例えば図２に示すように、前記受け部３３が前記載置部２９に連結されているとともに、前記載置部２９から前記ベース部２１の長さ方向の一端側へ延出している、ことを特徴とする請求項６に記載の型枠保持具２である。
【００１９】
請求項７に係る発明によれば、断熱材７を受け部３３上に載置して、断熱材７を内枠板５１に当てることができる。
【００２０】
請求項８に係る発明は、例えば図１に示すように、請求項１から７の何れか一項に記載の型枠保持具と、建物の床下の地盤上に打設されたコンクリートスラブ３と、前記コンクリートスラブ３上の周縁部に一体打ちされた立ち上がり部４と、前記コンクリートスラブ３の周縁部下であって地盤上に打設された捨てコンクリート６と、断熱材７と、を備え、前記ベース部２１が前記捨てコンクリート６上に固定され、前記ベース部２１及び前記脚部２６が前記コンクリートスラブ３に埋設され、前記第一支持部２５が前記コンクリートスラブ３の周縁から外に突出し、前記受け部３３が前記立ち上がり部４の内側であって前記コンクリートスラブ３上に設けられ、前記断熱材７が前記立ち上がり部４の内側において前記受け部３３及び前記コンクリートスラブ３上に設けられているとともに、前記立ち上がり部４に貼着され、前記第二支持部２８が前記断熱材７の内側において前記コンクリートスラブ３上に設けられている、ことを特徴とする建物の断熱基礎１である。
【００２１】
請求項８に係る発明によれば、断熱材７を立ち上がり部４に接着する工程を省略することができ、断熱基礎１の製造コストを削減することができる。
【００２２】
請求項９に係る発明は、地盤上に捨てコンクリート６を打設する工程と、請求項１から７の何れか一項に記載の型枠保持具２の前記ベース部２１を前記捨てコンクリート６上に固定して、前記型枠保持具２を前記捨てコンクリート６上に設置する工程と、外枠板５０を立てた状態にして前記第一支持部２５に支持する工程と、内枠板５１を立てた状態にして前記第二支持部２８に支持する工程と、断熱材７を前記外枠板５０と前記内枠板５１の間に挿入して、前記断熱材７を前記受け部３３上に載置し、前記断熱材７を前記内枠板５１に当てるとともに前記断熱材７を前記外枠板５０から離す工程と、前記内枠板５１と前記外枠板５０との間の前記捨てコンクリート６上と、前記外枠板５０と前記断熱材７の間と、前記内枠板５１の内側の地盤上とにコンクリートを打ち込んで前記型枠保持具２の前記ベース部２１及び前記脚部２６を前記コンクリートに埋め込むことによってコンクリートスラブ３と立ち上がり部４を一体打ちする工程と、前記コンクリートスラブ３及び前記立ち上がり部４のコンクリートの硬化後に前記外枠板５０を前記第一支持部２５から外すと共に、前記内枠板５１を前記第二支持部２８から外す工程と、を含むことを特徴とする建物の断熱基礎１の構築方法である。
【００２３】
請求項９に係る発明によれば、断熱材７を立ち上がり部４に接着する工程を省略することができ、断熱基礎１の製造コストを削減することができる。
【００２４】
請求項１０に係る発明は、上部保持具５３を前記外枠板５０、前記断熱材７及び前記内枠板５１の上端部に装着して、前記断熱材７の上端部と前記内枠板５１の上端部を一緒に前記上部保持具５３で挟み込むとともに、前記外枠板５０の上端部を前記上部保持具５３で挟み込み、前記外枠板５０と前記断熱材７の間隔を前記上部保持具５３で保持するとともに、前記断熱材７を前記内枠板５１に当てた状態を前記上部保持具５３で保持した状態でコンクリートの打ち込みを行うことを特徴とする請求項９に記載の建物の断熱基礎１の構築方法である。
【００２５】
請求項１０に係る発明によれば、外枠板５０、内枠板５１及び断熱材７を安定して保持することができる。
【発明の効果】
【００２６】
本発明によれば、断熱材を立ち上がり部に接着する工程を省略することができ、断熱基礎の製造コストを削減することができる。
【図面の簡単な説明】
【００２７】
【図１】本発明の実施の形態に係る断熱基礎の断面図である。
【図２】図１に示された型枠保持具の側面図である。
【図３】図１に示された断熱基礎を構築する工程における断面図である。
【図４】図３の工程の後の工程における断面図である。
【発明を実施するための形態】
【００２８】
以下に、本発明を実施するための形態について図面を用いて説明する。但し、以下に述べる実施形態には、本発明を実施するために技術的に好ましい種々の限定が付されているが、本発明の技術的範囲を以下の実施形態及び図示例に限定するものではない。
【００２９】
図１は、建物の断熱基礎１を示した断面図である。図１に示すように、この断熱基礎１はべた基礎である。この断熱基礎１は、型枠保持具２、コンクリートスラブ３、立ち上がり部４、鉄筋５、捨てコンクリート６、断熱材７、断熱材８及びアンカーボルト９等を備える。
【００３０】
砕石１０が建物（具体的には住宅）の床下の地盤上に敷設され、防湿シート１１が砕石１０を被覆する。防湿シート１１は例えばポリエチレンフィルムである。防湿シート１１の周縁部１１ａの下側にある砕石１０はその周縁部１１ａの内側部分１１ｂの下側にある砕石１０よりも低く敷設され、防湿シート１１の周縁部１１ａと内側部分１１ｂとの間に段差がある。防湿シート１１の周縁部１１ａ上には、捨てコンクリート６が打設されている。
【００３１】
捨てコンクリート６及びそれよりも内側の防湿シート１１上には、コンクリートスラブ３が打設されている。コンクリートスラブ３は、断熱基礎１の床版を構成するものである。
【００３２】
コンクリートスラブ３の周縁部上に立ち上がり部４が打設されている。立ち上がり部４がコンクリートスラブ３に対して一体的に設けられているとともに、この立ち上がり部４がコンクリートスラブ３の周縁部において立った状態に設けられている。
【００３３】
コンクリートスラブ３及び立ち上がり部４は鉄筋コンクリート製のものであり、鉄筋５がコンクリートスラブ３及び立ち上がり部４の内部に埋め込まれている。立ち上がり部４の内部にはアンカーボルト９が埋め込まれ、アンカーボルト９の一部が立ち上がり部４の上端から上方へ突出している。鉄筋５は、コンクリートスラブ３に埋め込まれたスラブ鉄筋５ａと、コンクリートスラブ３の周縁部及び立ち上がり部４に埋め込まれた立ち上がり部鉄筋５ｂとからなる。
【００３４】
立ち上がり部４の内側の側面に断熱材７が貼着されている。断熱材７がコンクリートスラブ３の周縁部の上面から立ち上がり部４の上端にかけて設けられ、断熱材７の上端と立ち上がり部４の上端が面一となって揃っている。コンクリートスラブ３上の周縁部であって立ち上がり部４の内側には、断熱材８が設けられている。断熱材８が断熱材７の側面の下部に当接又は接合され、断熱材７と断熱材８の組体が断面Ｌ字形になるよう断熱材７と断熱材８が組まれている。断熱材８がクラウド材等によってコンクリートスラブ３上に接合されている。断熱材７，８は例えば発泡樹脂からなり、より具体的には発泡ポリスチレンフォーム材からなる。
【００３５】
断熱材７を型枠に組み込んで、立ち上がり部４とコンクリートスラブ３を一体打ちすることによって、断熱材７が立ち上がり部４に設けられる。型枠を組む際に型枠保持具２が利用され、その型枠保持具２によって断熱材７が型枠に保持される。
【００３６】
図２を参照して、型枠保持具２について具体的に説明する。図２は型枠保持具２の側面図である。型枠保持具２は、ベース部２１と、第一支持部２５と、第一脚部２６と、第二脚部２７と、第二支持部２８と、受け部３３と、補強部材３４とを備える。
【００３７】
ベース部２１が帯板状に設けられている。このベース部２１は捨てコンクリート６上に伏すようにして捨てコンクリート６上に固定される。ベース部２１の一端２１ａから他端２１ｂにかけての長さ方向（図２の紙面に向かって左右方向）が立ち上がり部４の厚み方向と略平行になるように、ベース部２１が立ち上がり部４の下方においてコンクリートスラブ３及び立ち上がり部４の周縁の外側から立ち上がり部４及び断熱材７の内側にかけて延在する。ベース部２１の幅方向は図２の紙面に対して垂直な方向であり、ベース部２１の幅方向がベース部２１の長さ方向に対して直交する。ベース部２１の厚み方向は図２の紙面に向かって上下方向であり、ベース部２１の厚み方向は幅方向及び長さ方向に対して直交する。
【００３８】
ベース部２１の一端２１ａがコンクリートスラブ３の周縁から外側に突き出ており（図１参照）、その一端２１ａに第一把持片２２が連結されている。第一把持片２２がベース部２１に対して直角に折り曲げられており、その第一把持片２２がベース部２１の一端２１ａにおいて立てられている。
【００３９】
ベース部２１の幅方向の縁部には、第二把持片２３が連結されている。第二把持片２３がベース部２１に対して直角に折り曲げられており、その第二把持片２３がベース部２１の幅方向の縁部において立てられている。第二把持片２３の長さがベース部２１の長さよりも短く、ベース部２１の一端２１ａ寄りの第二把持片２３の一端２３ａが第一把持片２２からベース部２１の他端２１ｂ側へ離れ、第二把持片２３と第一把持片２２の間に挿入部２４が形成されている。挿入部２４の上が開口し、挿入部２４の下はベース部２１によって閉塞する。ベース部２１のうち第一把持片２２と第二把持片２３の間の部分と、第一把持片２２と、第二把持片２３の一端２３ａとからなる第一支持部２５が、ベース部２１の一端２３ａに設けられている。第一支持部２５は、型枠の外枠板を立てた状態に支持するものである。
【００４０】
第二把持片２３の他端２３ｂ及びベース部２１の他端２１ｂには、棒状の第一脚部２６の下端２６ａが溶接により連結されている。第一脚部２６はベース部２１に対して立てられている。具体的には、第一脚部２６はベース部２１に対して垂直な状態からベース部２１の一端２１ａ側へ斜めになるように立てられている。第一脚部２６の上端２６ｂがベース部２１の一端２１ａ側へ折り曲げられ、その上端２６ｂに支持杆２６ｃが形成される。支持杆２６ｃはベース部２１に対して平行となっている。
【００４１】
第一把持片２２の一端２３ａと他端２３ｂの間の部分及びベース部２１の一端２１ａと他端２１ｂの間の部分には、棒状の第二脚部２７の下端２７ａが溶接により連結されている。第二脚部２７はベース部２１に対して垂直に立てられている。第一脚部２６の上端２６ｂと第二脚部２７の上端２７ｂが溶接により連結されている。脚部２６と第二脚部２７によって、型枠保持具２の剛性が高まる。
【００４２】
第一脚部２６及び第二脚部２７の上端２６ｂ，２７ｂ上には、第二支持部２８及び受け部３３が設けられている。第二支持部２８は型枠の内枠板を立てた状態に支持するものである。受け部３３は断熱材７の下端を受けて断熱材７の下から断熱材７を支持する。
【００４３】
第二支持部２８は載置部２９、第三把持片３０、第四把持片３１及び第二挿入部３２からなる。載置部２９が帯板状に設けられ、この載置部２９がベース部２１に対して平行となるように伏せた状態で第一脚部２６の上端２６ｂ及び支持杆２６ｃ上に設けられている。載置部２９の一方の端部が折り曲げられて、第三把持片３０が載置部２９の一方の端部に形成され、第三把持片３０が載置部２９に対して立てられている。載置部２９の他方の端部が折り曲げられて、第四把持片３１が載置部２９の他方の端部に形成され、その第四把持片３１が載置部２９に対して立てられている。第三把持片３０がベース部２１の一端２１ａ寄りに配置され、第四把持片３１がベース部２１の他端２１ｂ寄りに配置され、第三把持片３０と第四把持片３１との間に挿入部３２が形成されている。挿入部３２の上が開口し、挿入部３２の下は載置部２９によって閉塞する。第三把持片３０の上端部３０ａがベース部２１の一端２１ａ側に折り曲げられている。
【００４４】
受け部３３が帯板状に形成され、その受け部３３がベース部２１に対して平行となるように伏している。受け部３３と載置部２９が一体形成され、受け部３３は載置部２９の一方の端部からベース部２１の一端２１ａ側へ延び出ている。受け部３３が支持杆２６ｃ上に溶接により固定されている。
【００４５】
第一脚部２６、第二脚部２７、第二把持片２３及びベース部２１には、Ｌ形の補強部材３４が連結されている。補強部材３４が水平部３４ａ及び垂直部３４ｂを有し、水平部３４ａの一端が第一脚部２６に溶接により連結され、その水平部３４ａがベース部２１に対して平行となって第二脚部２７を横切り、水平部３４ａの一端と他端の間の部分が第二脚部２７に溶接により連結され、垂直部３４ｂが水平部３４ａの他端から下に折り曲げられている。垂直部３４ｂの下端が第二脚部２７よりもベース部２１の一端２１ａ寄りにおいて第二把持片２３及びベース部２１に連結されている。
【００４６】
図１に示すように、型枠保持具２のうちベース部２１、第二把持片２３、第一脚部２６、第二脚部２７及び補強部材３４がコンクリートスラブ３に埋設されている。第一支持部２５はコンクリートスラブ３の周縁の外側へ突出し、第一支持部２５が埋め戻し土１２に埋設されている。第一脚部２６及び第二脚部２７の上端２６ｂ，２７ｂと第二支持部２８の載置部２９と受け部３３とが立ち上がり部４の内側においてコンクリートスラブ３の上面に揃っており、第二支持部２８がコンクリートスラブ３の上に露出され、第二支持部２８の把持片３０，３１がコンクリートスラブ３の上端から上へ突出し、第四把持片３１が断熱材８の下面に突き刺さる。第三把持片３０が断熱材７の内側側面の下部に当接してその断熱材７を断熱材７の内側から支えており、第三把持片３０の上端部３０ａが断熱材７の側面に突き刺さる。
【００４７】
続いて、型枠保持具２を用いた型枠及び断熱材７の保持方法について説明するとともに、断熱基礎１の構築方法について説明する。
【００４８】
まず、図３に示すように、地盤の掘削・転圧をした後に砕石１０を地盤上に敷設し、砕石１０に防湿シート１１を覆い被せる。
次に、防湿シート１１の周縁部１１ａ上に捨てコンクリート６を打設する。
【００４９】
次に、捨てコンクリート６上に型枠保持具２を固定する。具体的には、ベース部２１の一端２１ａ及び第一支持部２５を外向きにして、ベース部２１の他端２１ｂ及び第二支持部２８を内向きにするようにしてベース部２１を捨てコンクリート６上に載置し、ボルト又は釘等でベース部２１を捨てコンクリート６上に固定する。同様にして、複数個の型枠保持具２を捨てコンクリート６上に固定して、これら型枠保持具２を防湿シート１１の周縁部１１ａに沿って配列する。
【００５０】
次に、外枠板５０の下端部を第一支持部２５の上から第一支持部２５の挿入部２４に差し込み、外枠板５０の下端部を第一把持片２２と第二把持片２３の一端２３ａとの間に挟み込んで、外枠板５０を立てた状態にしてその外枠板５０を第一支持部２５に支持する。
【００５１】
次に、外枠板５０の内側に鉄筋５を組み立てる。具体的には、鉄筋５の立ち上がり部鉄筋５ｂを捨てコンクリート６の上に組み立てるとともに、鉄筋５のスラブ鉄筋５ａを防湿シート１１の内側部分１１ｂの上に組み立てる。この際、鉄筋５の立ち上がり部鉄筋５ｂを補強部材３４の上に位置させて、鉄筋５の立ち上がり部鉄筋５ｂを補強部材３４で支える。
【００５２】
次に、内枠板５１の下端部を第二支持部２８の上から第二支持部２８の挿入部３２に差し込み、内枠板５１の下端部を第三把持片３０と第四把持片３１との間に挟み込んで、内枠板５１を立てた状態にして内枠板５１を第二支持部２８に支持する。内枠板５１を第二支持部２８に支持することによって、内枠板５１の下端を地盤及び捨てコンクリート６から上に離して、内枠板５１の下端を外枠板５０の下端よりも高い位置に設置する。
【００５３】
次に、外枠板５０と内枠板５１の間に断熱材７を挿入して、断熱材７の下端を受け部３３に当接させてその断熱材７を受け部３３上に載置し、断熱材７の側面を内枠板５１に当てるとともに断熱材７を外枠板５０から離す。そして、上部保持具５３を外枠板５０、断熱材７及び内枠板５１の上端部に装着し、外枠板５０と断熱材７の間隔を上部保持具５３で保持するとともに、断熱材７を内枠板５１に当てた状態を上部保持具５３で保持する。
【００５４】
上部保持具５３は、帯板状のベース杆５４と、ベース杆５４の下面から下方に突出するとともに、ベース杆５４の長手方向に沿って間隔を置いて配列された爪５５，５６，５７，５８とを備えるものである。外枠板５０、断熱材７及び内枠板５１の上端部に上部保持具５３を装着するに際しては、外枠板５０、断熱材７及び内枠板５１の上端部の上においてベース杆５４を外枠板５０と内枠板５１との間に架設して、爪５５と爪５６の間に外枠板５０の上端部を挿入して外枠板５０の上端部を爪５５と爪５６の間に挟み込み、更に、爪５７と爪５８との間に断熱材７及び内枠板５１の上端部を挿入して断熱材７の上端部と内枠板５１の上端部を一緒に爪５７と爪５８の間に挟み込む。
そして、外枠板５０と断熱材７との間にアンカーボルト９を設置する。
【００５５】
以上にようにして、上部保持具５３と型枠保持具２を用いて外枠板５０、内枠板５１及び断熱材７を保持する。なお、外枠板５０の外側の地面に固定具の一端を固定し、その固定具の他端を外枠板５０に連結し、その固定具によって外枠板５０を固定してもよい。
【００５６】
次に、図４に示すように、コンクリートスラブ３及び立ち上がり部４を一体に打設する。具体的には、内枠板５１と外枠板５０との間の捨てコンクリート６上にコンクリートを打ち込んだ後、外枠板５０及び内枠板５１の上から外枠板５０と断熱材７の間にコンクリートを打ち込んで、外枠板５０と断熱材７との間にコンクリートを充填する。その後、コンクリートを内枠板５１の下端及び断熱材７の下端の高さ（第二支持部２８の載置部２９や受け部３３の高さ）にまで内枠板５１の内側の地盤上に打ち込む。内枠板５１の内側に打ち込そして、打ち込んだコンクリートの上面をコテでならして、コンクリートを養生する。コンクリートが硬化する過程で、断熱材７が立ち上がり部４のコンクリートに結合する。
【００５７】
コンクリートが硬化したら、上部保持具５３を外枠板５０、断熱材７及び内枠板５１から外す。そして、外枠板５０を第一支持部２５から外し、内枠板５１を第二支持部２８から外し、外枠板５０及び内枠板５１を脱型する。
【００５８】
次に、断熱材７のうち立ち上がり部４の上端から突出した部分を切断して、断熱材７の上端を立ち上がり部４の上端に揃える。次に、断熱材７同士の目地に充填剤等を埋めることで目地処理を行う。
【００５９】
次に、コンクリートスラブ３上の周縁部にクラウド材を塗布して、断熱材８を断熱材７の側面の下部に当てて、断熱材７と断熱材８を断面Ｌ字形に組むとともに、断熱材８をコンクリートスラブ３の上面の周縁部に圧着する。
【００６０】
次に、埋め戻し土１２をコンクリートスラブ３の周囲に埋め戻す。埋め戻し土１２の埋め戻し工程は、外枠板５０の脱枠後であればどのタイミングでもよい。
【００６１】
本発明の実施の形態によれば、次のような作用効果を奏する。
（１）受け部３３が第二支持部２８から第一支持部２５側へ延出しているから、第一支持部２５によって支持された外枠板５０と第二支持部２８によって支持された内枠板５１との間に断熱材７を挿入して、断熱材７を受け部３３上に載置して、断熱材７を内枠板５１に当てるとともに断熱材７を外枠板５０から離すことができる。そのため、断熱材７と外枠板５０との間にコンクリートを打ち込んで、コンクリートを硬化させると、断熱材７が基礎の立ち上がり部４に貼着される。従って、断熱材７を立ち上がり部４に接着する工程を省略することができる。また、断熱材７を立ち上がり部４に接着するための接着剤を省略することができ、断熱基礎１の製造コストを削減することができる。
【００６２】
（２）第一脚部２６が斜めに立てられているから、図１に示す右方向への荷重が第二支持部２８に作用しても、第一脚部２６によって支えられる。そのような第一脚部２６の上端と第二脚部２７の上端が連結されているから、外枠板５０と内枠板５１の間に打ち込んだコンクリートの圧力によって内枠板５１等がはらむことを防止することができる。更に、補強部材３４によって型枠保持具２の剛性が高まり、内枠板５１等がはらむことを防止することができる。
【００６３】
（３）第二脚部２７が垂直であるから、第二脚部２７と外枠板５０の間のスペースを広くとることができ、鉄筋５が第二脚部２７に干渉することを防止することができる。
【００６４】
（４）鉄筋５を補強部材３４によって支持することができる。
【００６５】
（５）受け部３３がベース部２１に対して平行であるから、ベース部２１を水平な捨てコンクリート６の上面に固定すると、直方体の断熱材７を受け部３３上にほぼ垂直に立てることができる。そのため、断熱材７を内枠板５１から離れることを防止することができる。
【００６６】
（６）受け部３３が載置部２９から延出しているから、受け部３３と載置部２９が近接し、断熱材７を受け部３３上に載置して、断熱材７を内枠板５１に当てることができる。
【００６７】
（７）上部保持具５３を用いることによって、外枠板５０、内枠板５１及び断熱材７を安定して固定することができる。
【符号の説明】
【００６８】
１  断熱基礎
２  型枠保持具
３  コンクリートスラブ
４  立ち上がり部
６  捨てコンクリート
７  断熱材
２１  ベース部
２２  第一把持片
２３  第二把持片
２５  第一支持部
２６  第一脚部
２７  第二脚部
２８  第二支持部
２９  載置部
３０  第三把持部
３１  第四把持部
３４  補強部材
５０  外枠板
５１  内枠板
【図１】
2013221374.tif 000003
【図２】
2013221374.tif 000004
【図３】
2013221374.tif 000005
【図４】
2013221374.tif 000006